(57)【特許請求の範囲】
【請求項１】
中央にリベット状部材の突起を挿入するための貫通孔が形成された円形板部と、その外周部から上方へ立ち上がり且つ上端外周に膨出部が形成された雌スナップの凹部に嵌入するための筒状部とからなり、筒状部の底面と円形板部の底面との間に段差が付けられ、且つ、膨出部が周方向に間隙をおいて複数の円弧状に区画されているスナップファスナー用の合成樹脂製雄型嵌合部材であって、筒状部が、内側筒部と、外側筒部と、両者の上端間に位置する環状の天板部とを備えており、内側筒部と外側筒部の間に下方へ開口した溝が形成されていることを特徴とするスナップファスナー用の合成樹脂製雄型嵌合部材。
【請求項２】
筒状部が、内側筒部と、外側筒部と、両者の上端間に位置する環状の天板部と、内側筒部と外側筒部の間に形成された下方へ開口した溝を膨出部の間隙に対応する位置において区画する放射状のリブとを備えていることを特徴とする請求項１に記載のスナップファスナー用の合成樹脂製雄型嵌合部材。
【請求項３】
環状の天板部に、溝と連通するスリットが形成されていることを特徴とする請求項２に記載のスナップファスナー用の合成樹脂製雄型嵌合部材。
【発明の詳細な説明】
【０００１】
【発明の属する技術分野】
本発明は、スナップファスナー用の合成樹脂製雄型嵌合部材に関する。
【０００２】
【従来の技術】
一般に、スナップファスナー用の合成樹脂製雄型嵌合部材は、その基本的形態が金属製製雄型嵌合部材の基本的形態に由来しており、図８に示すように、リベット部材の頭部に対向する直径に設定された基板部ａと、その上面から上方へ立ち上がり且つ上端外周に膨出部ｂが形成された筒状部（雌スナップの凹部に嵌入するための筒状部）ｃと、中央にリベット状部材の突起を挿入するための貫通孔ｄが形成された円形板部ｅとから構成されている。Ｈ1は、雌スナップの凹部に対する筒状部ｃの嵌合深さであり、Ｈ2は、基板部ａの底面と円形板部ｅの底面との間に付けた段差、Ｈ3は、基板部ａの厚みである。
【０００３】
段差Ｈ2は、スナップファスナー取付け用自動機の雄型嵌合部材供給用ポッパーからシュートを経て、リベット部材とのカシメ止めを行う打ち込み具へと、合成樹脂製雄型嵌合部材を一定姿勢で取り出す際に、合成樹脂製雄型嵌合部材の上下を判別するのに必要とされる。
【０００４】
従って、従来の合成樹脂製雄型嵌合部材では、少なくとも、Ｈ1＋Ｈ2＋Ｈ3の厚さが必要とされており、合成樹脂製雄型嵌合部材とリベット部材とで構成される雄スナップの厚みが厚くなる傾向があった。
【０００５】
【発明が解決しようとする課題】
上記の現状に鑑み、本発明は、雄スナップの厚みを薄くすることができるようにしたスナップファスナー用の合成樹脂製雄型嵌合部材を提供せんとするものである。
【０００６】
【課題を解決するための手段】
上記の課題を解決するために、本発明が講じた技術的手段は、次のとおりである。即ち、本発明によるスナップファスナー用の合成樹脂製雄型嵌合部材は、中央にリベット状部材の突起を挿入するための貫通孔が形成された円形板部と、その外周部から上方へ立ち上がり且つ上端外周に膨出部が形成された雌スナップの凹部に嵌入するための筒状部とからなり、筒状部の底面と円形板部の底面との間に段差が付けられ、且つ、膨出部が周方向に間隙をおいて複数の円弧状に区画されているスナップファスナー用の合成樹脂製雄型嵌合部材であって、筒状部が、内側筒部と、外側筒部と、両者の上端間に位置する環状の天板部とを備えており、内側筒部と外側筒部の間に下方へ開口した溝が形成されていることを特徴としている。
【０００７】
上記の構成によれば、スナップファスナー用の合成樹脂製雄型嵌合部材が、円形板部と筒状部とから構成されており、従来の合成樹脂製雄型嵌合部材における基板部に相当する部分が存在しないので、合成樹脂製雄型嵌合部材の厚さが薄くなり、合成樹脂製雄型嵌合部材とリベット部材とで構成される雄スナップの厚みを薄くすることができる。
【０００８】
また、雄スナップを構成した状態、つまり、リベット部材の突起を基布に刺し通して円形板部の中央貫通孔に挿入し、突起先端部を打撃してカシメ止めした状態において、基布は、円形板部とリベット部材頭部の突起近辺の裏面とで強く挟持されるので、基板部に相当する部分を除去した形状であっても、実用上の支障はない。
【０００９】
また、膨出部が周方向に間隙をおいて複数の円弧状に区画されているので、雌スナップの凹部に嵌入した筒状部を外す際、負圧が生じにくくなり、スナップ作用（雌雄スナップの嵌合および嵌合離脱）を良好に行えることになる。
【００１０】
殊に、筒状部が、内側筒部と、外側筒部と、両者の上端間に位置する環状の天板部とを備えており、内側筒部と外側筒部の間に下方へ開口した溝が形成されているので、筒状部の外側筒部が半径方向に弾性変形しやすくなり、スナップ作用（雌雄スナップの嵌合および嵌合離脱）を良好に行えることになる。
【００１１】
請求項２に記載の発明のように、筒状部が、内側筒部と、外側筒部と、両者の上端間に位置する環状の天板部と、内側筒部と外側筒部の間に形成された下方へ開口した溝を膨出部の間隙に対応する位置において区画する放射状のリブとを備えていると、筒状部の外側筒部が膨出部の位置では半径方向に弾性変形しやすくなるが、膨出部の間隙に対応する位置においては、半径方向への弾性変形がリブによって抑制される。従って、外側筒部の過度の変形が防止されることになり、布地の厚さに影響されることなく、安定したスナップ作用が可能となる。
【００１２】
請求項３に記載の発明のように、環状の天板部に、溝と連通するスリットが形成されていると、筒状部の外側筒部が膨出部の位置においては半径方向へより一層弾性変形しやすくなり、僅かな操作力でスナップ作用を行えることになる。
【００１３】
【発明の実施の形態】
図１は、本発明に係る合成樹脂製雄型嵌合部材１の一例を示し、図２は、前記合成樹脂製雄型嵌合部材１Ａを用いて構成したスナップファスナーを示す。このスナップファスナーは、雄スナップＡと雌スナップＢとから構成され、雄スナップＡは、合成樹脂製雄型嵌合部材１Ａと、それを基布（例えば、衣服の生地）Ｃに止着する合成樹脂製のリベット状部材２Ａとから構成され、雌スナップＢは、合成樹脂製雌型嵌合部材１Ｂと、それを基布Ｃに止着する合成樹脂製のリベット状部材２Ｂとから構成されている。３ａ，３ｂは、リベット状部材２Ａ，２Ｂの突起、４ａ，４ｂはリベット状部材２Ａ，２Ｂの頭部である。
【００１４】
合成樹脂製雄型嵌合部材１Ａは、中央にリベット状部材２Ａの突起３ａを挿入するための貫通孔５が形成された円形板部６と、その外周部から上方へ立ち上がり且つ上端外周に膨出部７が形成された筒状部（雌スナップＢの凹部９に嵌入するための筒状部）８とから構成され、筒状部８の底面と円形板部６の底面との間に段差Ｈ2が付けられている。Ｈ1は、雌スナップＢの凹部９に対する筒状部８の嵌合深さである。膨出部７は、筒状部８が雌スナップＢの凹部（奥広がりに形成されている。）９に嵌入した際、凹部９の縁部と機械的に係合するためのアンダーカット部を形成するものである。
【００１５】
尚、上記の実施形態では、膨出部７が周方向に連続していて、平面視において円形をなすが、膨出部７は周方向に間隙をおいて複数の円弧状に区画してもよい。また、図示の筒状部８は、断面が中実であるが、筒状部８の底面に、貫通孔５と同芯状で下方へ開口した円形の溝を形成して、筒状部８を、内側筒部と、外側筒部と、両者の上端間に位置する環状の天板部とから構成してもよい。
【００１６】
上記の構成によれば、合成樹脂製雄型嵌合部材１Ａが、円形板部６と筒状部８とから構成されており、従来の合成樹脂製雄型嵌合部材における基板部に相当する部分が存在しないので、合成樹脂製雄型嵌合部材１Ａの厚さが薄くなり、雄スナップＡの厚みを薄くすることができる。
【００１７】
また、リベット部材２Ａの突起３ａを基布Ｃに刺し通して円形板部６の中央貫通孔５に挿入し、突起３ａ先端部を打撃により拡径変形させてカシメ止めし、雄スナップＡを構成した状態において、基布Ｃは、円形板部６とリベット部材頭部３ｂの突起近辺の裏面とで強く挟持されるので、基板部に相当する部分を除去した形状であっても、実用上の支障はない。
【００１８】
図３〜図７は、他の実施の形態を示す。この実施の形態では、合成樹脂製雄型嵌合部材１Ａを、中央にリベット状部材２Ａの突起３ａを挿入するための貫通孔５が形成された円形板部６と、その外周部から上方へ立ち上がり且つ上端外周に膨出部７が形成された筒状部（雌スナップＢの凹部９に嵌入するための筒状部）８とから構成し、前記膨出部７は、周方向に間隙（平面視において半径方向内方へ凹入した凹入部）１１をおいて複数の円弧状に区画された形状にしてある。
【００１９】
そして、筒状部８の底面には、貫通孔５と同芯状で下方へ開口した溝１０を形成し、溝１０には、放射状のリブ１２を設けて、前記筒状部８を、内側筒部８ａと、外側筒部８ｂと、両者８ａ，８ｂの上端間に位置する環状の天板部８ｃと、内側筒部８ａと外側筒部８ｂの間に形成された溝１０を膨出部７の間隙に対応する位置において区画する放射状のリブ１２とを備えた形状としてある。
【００２０】
尚、図示の実施形態では、筒状部８の外側筒部８ｂが膨出部７の位置において半径方向へ弾性変形しやすくなり、僅かな操作力でスナップ作用を行えるように、環状の天板部８ｃに、溝１０と連通するスリット１３を形成してあるが、スリット１３は省略してもよい
。Ｈ1は、雌スナップＢの凹部９に対する筒状部８の嵌合深さ、Ｈ2は、筒状部８の底面と円形板部６の底面との間に付けた段差である。
【００２１】
上記の構成によれば、先の実施形態と同様に、合成樹脂製雄型嵌合部材１Ａの厚さが薄くなるので、雄スナップＡの厚みを薄くすることができ、しかも、筒状部８が、内側筒部８ａと、外側筒部８ｂと、両者８ａ，８ｂの上端間に位置する環状の天板部８ｃと、内側筒部８ａと外側筒部８ｂの間に形成された下方へ開口した溝１０を膨出部７の間隙に対応する位置において区画する放射状のリブ１２とを備えた形状であるため、筒状部８の外側筒部８ｂが膨出部７の位置では半径方向に弾性変形しやすくなり、スナップ作用（雌雄スナップの嵌合および嵌合離脱）を良好に行え、それでいて、膨出部７の間隙に対応する位置においては、半径方向への弾性変形がリブ１２によって抑制されるので、外側筒部８ｂの過度の変形が防止されることになり、基布Ｃの厚さに影響されることなく、安定したスナップ作用が可能となる。
【００２２】
【発明の効果】
本発明は、上述した構成よりなり、雌雄のスナップの厚みを薄くすることができる効果がある。
【図面の簡単な説明】
【図１】  スナップファスナー用の合成樹脂製雄型嵌合部材の断面図である。
【図２】  雄スナップと雌スナップとからなるスナップファスナーの断面図である。
【図３】  他の実施の形態を示す合成樹脂製雄型嵌合部材の平面図である。
【図４】  合成樹脂製雄型嵌合部材の側面図である。
【図５】  合成樹脂製雄型嵌合部材の底面図である。
【図６】  図４のＡ−Ａ線断面図である。
【図７】  雄スナップと雌スナップとからなるスナップファスナーの断面図である。
【図８】  従来例の説明図である。
【符号の説明】
１Ａ…合成樹脂製雄型嵌合部材、２Ａ…リベット状部材、３ａ…突起、５…貫通孔、６…円形板部、７…膨出部、８…筒状部、Ｈ2…段差。
【図１】
0004172866.tif 000002
【図２】
0004172866.tif 000003
【図３】
0004172866.tif 000004
【図４】
0004172866.tif 000005
【図５】
0004172866.tif 000006
【図６】
0004172866.tif 000007
【図７】
0004172866.tif 000008
【図８】
0004172866.tif 000009